(57)【要約】      （修正有）【課題】従来に無かった透かし絵柄を形成した包装箱とする。【解決手段】前板、後板、両側板、蓋板、底板、フラップ及びフラップ片から成る四角状包装箱である。前板等の基材１０表面に絵柄ａを印刷し、その表面にアルミ蒸着フィルム１１又は金属箔２１を貼着（転写）し、その表面に絵柄ｃを印刷し、さらに表面コートを行う。印刷層、糊層１２、蒸着フィルム１１又は金属箔２１の各厚みは数μ程度であるから、印刷絵柄ａの上に貼着されたフィルム１１又は金属箔２１は、他の部分に対して数μ程度盛り上がり、その盛り上がりは、全体の層厚に対し、極めて低く、人がその盛り上がりの凹凸に反射光を感じることは大変難しく、印刷面を斜めに見る等をしない限り、その凹凸絵柄ａを確認し得ない。【選択図】図５
2020082732.tif 000002
【特許請求の範囲】
【請求項１】
基材（１０）表面に絵柄（ａ）を印刷し、その印刷した表面に金属蒸着フィルム（１１）を貼着し、前記絵柄（ａ）の印刷層の段差により前記金属蒸着フィルム（１１）の表面に前記絵柄（ａ）の印刷層の厚みが浮き上がる透かし形成方法。
【請求項２】
基材（１０）表面に絵柄（ａ、ｃ）を印刷し、その印刷した絵柄（a、ｃ）の表面に金属箔（２１）を転写し、前記絵柄（ａ、ｃ）の印刷層の段差により前記転写した金属箔（２１）の表面に前記絵柄（ａ、ｃ）の印刷層の厚みが浮き上がる透かし形成方法。
【請求項３】
上記金属蒸着フィルム（１１）又は金属箔（２１）の表面に絵柄（ｃ）を印刷し、さらにその金属蒸着フィルム（１１）又は金属箔（２１）の表面に表面コート（１３）を施す請求項１又は２に記載の透かし形成方法。
【請求項４】
上記基材（１０）表面への絵柄（ａ、ｃ）の印刷をマットインキにより行う請求項１乃至３のいずれか一つに記載の透かし形成方法。
【請求項５】
紙製包装箱本体の表面に絵柄（ａ）を印刷し、その印刷した表面に金属蒸着フィルム（１１）を貼着し、前記絵柄（ａ）の印刷層の段差により前記金属蒸着フィルム（１１）の表面に前記絵柄（ａ）の印刷層の厚みが浮き上がる透かしが形成された包装箱。
【請求項６】
基材（１０）表面に絵柄（ａ、ｃ）を印刷し、その印刷した絵柄（a、ｃ）の表面に金属箔（２１）を転写し、前記絵柄（ａ、ｃ）の印刷層の段差により前記転写した金属箔（２１）の表面に前記絵柄（ａ、ｃ）の印刷層の厚みが浮き上がる透かしが形成された包装箱。
【請求項７】
上記金属蒸着フィルム（１１）又は金属箔（２１）の表面に絵柄（ｃ）を印刷し、さらにその金属蒸着フィルム（１１）又は金属箔（２１）の表面に表面コート（１３）を施した請求項５又は６に記載の透かしが形成された包装箱。
【請求項８】
上記基材（１０）表面への絵柄（ａ、ｃ）の印刷がマットインキにより行われた請求項５乃至７のいずれか一つに記載の透かしが形成された包装箱。
【発明の詳細な説明】
【技術分野】
【０００１】
この発明は、透かしの形成方法及びその方法によって表面に透かし絵柄を施した包装箱に関するものである。
【背景技術】
【０００２】
紙製四角状包装箱の一例を、この発明の一実施形態を示す図１、図２を参照して説明すると、前板１、後板３、両側板２、２、底板５、蓋板４によるものが一般的である。
このような包装箱の表面には、包装した商品名などのロゴ（ロゴタイプ：logotype）等が記される。このとき、高級品においては、透かしを入れて、模造品と真性品との区別ができるようにしている。
その透かしを入れる従来技術の一例として、箱本体をなす各板（紙基材）の表面にプレス加工によって凹凸を形成し、その板の表面に印刷を施すことによって前記凹凸を浮かび上がらせるものがある（特許文献１参照）。
【先行技術文献】
【特許文献】
【０００３】
【特許文献１】特開２０１７−２０６７９２号公報
【発明の概要】
【発明が解決しようとする課題】
【０００４】
上記従来の透かし形成は、プレス加工用のプレス型が必要であり、多くの種類の透かし絵柄に対応するには、その各絵柄のプレス型が必要であり、コスト高となっている。
一方、印刷は種々の絵柄で微細な凹凸を表現することが比較的容易であり、そのコストも安いものとし得る。
【０００５】
この発明は、以上の実状の下、プレス加工以外の他の手段により透かし絵柄を得ることを課題とする。
【課題を解決するための手段】
【０００６】
上記課題を達成するため、この発明は、紙等の基材表面に絵柄を印刷し、その印刷した表面に金属蒸着フィルムを貼着したり、金属箔を転写したりして、前記絵柄の印刷層の段差により前記金属蒸着フィルム又は金属箔の表面に前記絵柄の印刷層の厚みが浮き上がる透かし形成方法を採用したのである。
絵柄の印刷層の厚み及び金属蒸着フィルム又は金属箔の遮光性から、金属蒸着フィルム又は金属箔の下にある絵柄は視覚によって殆ど確認することができないが、絵柄の凹凸は見る角度によっては確認できる。
このため、この方法による印刷物、例えば包装箱は、金属蒸着フィルム又は金属箔の表面に絵柄の印刷層の厚みが浮き上がるため、その金属蒸着フィルム又は金属箔の表面に従来に無かった透かし絵柄を有する斬新なものとなる。
【０００７】
ここで、蒸着とはアルミニウム、銅などの金属を高真空中で加熱・蒸発させその蒸気を冷却されたフィルム、紙などの基材表面に凝結結晶させ、薄膜を形成する技術を言い、その蒸着膜は薄く、フレキシブル性があり耐屈曲性に優れているとともに、高輝性、高反射性があり、水蒸気、酸素などのガスおよび光線の遮断性（遮光 遮湿 耐水機能）がある。
このように、蒸着は、加熱・蒸発させるため、その加熱させた蒸気が印刷面に直接に当たると、その印刷面が侵される。このため、この発明にあっては、印刷面に蒸着するのではなく、金属蒸着フィルムを印刷面に貼着することとしたのである。
【０００８】
また、金属箔は、展延性のよい金属を薄く打ちのばしたものであって、金箔、アルミニウム箔、銀箔、スズ箔、アルミ金箔（アルミニウム青銅の箔）、白金箔等があり、その厚さが０．２ミリメートル以下で数ミクロン程度であって、上記蒸着膜と同様に、その転写金属箔（膜）は薄く、フレキシブル性があり耐屈曲性に優れているとともに、高輝性、高反射性があり、水蒸気、酸素などのガスおよび光線の遮断性（遮光・遮湿・耐水機能）がある。
その金属箔の転写シートは、フィルム、紙などの基材表面にそれらの金属を凝結結晶させて薄膜を形成し、その薄膜の表面に接着層を設け、その接着層を被転写物（製品）側にして薄膜（金属箔）を熱押圧（ホットスタンプ）等することによって被転写物に前記金属箔を転写する。
【０００９】
印刷は、インキ度数等の調整によって層厚の調整が容易であるが、その印刷層の厚みは、一般的には、１〜３ミクロン（μ、μｍ：マイクロメートル）程度であって、糊層：１０〜１５μ、金属蒸着フィルム：１２μ程度、金属箔：数ミクロン程度であるから、印刷絵柄の上に貼着された金属蒸着フルム又は金属箔は、他の部分に対して１〜３μ程度盛り上がり、その盛り上がりは、全体の層厚に対し、例えば、（１〜３）／（２２〜２７）≒０．０３７〜０．１３６となり、極めて低いものとなる。
【００１０】
一方、人が確認できる可視光線の波長は４００μｍ〜７００μｍであり、その盛り上がりの凹凸における反射光を感じることは大変難しい。このため、印刷面を斜めに見る等をしない限り、その盛り上がった凹凸絵柄を確認し得ない。また、触覚によっては感じ得ないものである。このため、金属蒸着フィルム表面又は金属箔の上記印刷絵柄による盛り上がり部分は、透かし部分として有効となる。
【００１１】
また、印刷によって微細な凹凸用絵柄を形成し得るため、その微細な絵柄の形成が容易で、コスト的に有利なものとなる。
さらに、印刷にマットインキを使用すれば、その印刷表面が粗面となり、その粗面が金属蒸着フィルム又は金属箔の表面に現れる。このため、趣の変わった（高級感がでた）絵柄となる。このマットインキによる凹凸は延性の高い金属箔の場合に顕著にでる。
【００１２】
上記金属蒸着フィルムには、アルミ（Ａｌ）蒸着フィルムが一般的であるが、銅（Ｃｕ）蒸着フィルムや錫（Ｓｎ）蒸着フィルム等の蒸着し得る金属の蒸着フィルムであれば、何れでも良い。
上記絵柄には、模様、ロゴ、文字等の視覚によって認識し得るものの全てを含む。ロゴは、図案化や装飾化された文字、文字列等を言い、主に、会社等の団体名や商号、商品名、書名などを表示する場合に使用される。
【００１３】
上記金属蒸着フィルム又は金属箔の表面に絵柄を印刷したり、さらにその印刷した金属蒸着フィルム又は金属箔の表面に表面コートを施したりすることができる。
金属蒸着フィルム又は金属箔の表面に絵柄を印刷すれば、商品価値が向上し、表面コートを施せば、光沢などが得られるとともに、耐傷性等を向上させることができる。
【００１４】
これらの印刷による透かしの形成方法は、種々の基材に採用できるが、例えば、紙製包装箱本体の表面に絵柄を印刷し、その印刷した表面に金属蒸着フィルムを貼着し、又は金属箔を転写した包装箱としたり、さらにその包装箱において、金属蒸着フィルム又は金属箔の表面に絵柄を印刷したり、さらにその印刷した金属蒸着フィルム又は金属箔の表面に表面コートを施したりした構成を採用できる。
【発明の効果】
【００１５】
この発明は、以上のように構成し、印刷によって透かし用凹凸絵柄を形成することとしたので、従来に無かった透かし構造とすることができる上に、その透かし構造の作成のコストダウンを図ることができる。
また、視覚によって絵柄が確認可能であるので、転売された場合、その転売品を確認できる。
【図面の簡単な説明】
【００１６】
【図１】この発明に係る包装箱の一実施形態の斜視図
【図２】同実施形態のブランクの平面図
【図３】図２のＩ−Ｉ線部分断面図
【図４】他の実施形態のブランクの平面図
【図５】図４のＩ−Ｉ線部分断面図
【図６】さらに他の実施形態のブランクの平面図
【図７】図６のＩ−Ｉ線部分断面図
【発明を実施するための形態】
【００１７】
この発明に係わる包装箱の一実施形態を図１〜図３に示し、この包装箱Ｐは、図２に示すボール紙製ブランクから形成される。
このブランクは、前板１、後板３、両側板２、２を折り目線ｒを介して連接し（連設し）、その後板３の上下縁に折り目線ｒを介して蓋板４、底板５をそれぞれ連接し、側板２、２の上下縁に折り目線ｒを介してフラップ６、６、７、７をそれぞれ連接し、蓋板４と底板５に折り目線ｒを介してそれぞれフラップ片８、９を連接している。
【００１８】
このブランクの前板１、後板３、両側板２、蓋板４、底板５、フラップ６、７、フラップ片８、９（以下、これらを総称して基材１０という。）の表面（包装箱に組み立てた際の表（おもて）面）に、透かし絵柄ａを形成したことが、この発明の特徴である。
絵柄ａは、図示は「Ａ」、「Ｂ」、「Ｃ」・・としているが、会社名、商品名、意味をなさない文字等のロゴ、花柄、風景等の模様などの絵柄といえるものなら何れでも良い。
また、絵柄ａの大きさ、線の太さ等は、隠し（透かし）として十分に小さいものを実験などによって適宜に選定する。マイクロ図柄（絵柄）ａも採用し得る。そのとき、図示のように、絵柄ａの大きさや太さを変化させて印刷して、下記の透かし度合いを確認・調整して絵柄ａの大きさ等を設定することができる。
【００１９】
この絵柄ａは、この実施形態においては、基材１０の表面にオフセット印刷によって形成したが、スクリーン印刷などの他の種々の印刷方法を採用できる。基材１０は厚み：０．３５ｍｍのボール紙を使用したが、その材質及び紙厚は任意である。印刷インキには、一般的な顔料インキのみならず、他の、例えば、マットインキを採用すれば、下記の作用効果を得ることができる。
【００２０】
この印刷した絵柄ａ（印刷層）の厚みは、インキ度数によって決定され、一般的には、インキ度数：１についてその印刷層厚は１μ（μｍ）程度である。このため、下記盛り上がり（透かし度合い、シャープ度合）を考慮して、実験などによって適宜に決定すれば良いが、この実施形態においては、絵柄ａの印刷層厚：１〜３μとした。シャープ度合はインキ度数を上げれば高い度合を得られるが、マットインキであると、そのシャープ度合を容易に得ることができる。マットインキにはＵＶマットインキを使用できる。
因みに、顔料を含むインキであると、シャープ感が出にくい。また、顔料インキを重ね塗りし、その上にＵＶマットインキで重ね印刷することもできる。
【００２１】
各フラップ５、６には、隠し文字ｂを印刷する。その文字ｂはブラックライトで光る物などを採用し、景品の応募番号などとしたり、偽造防止用としたりし得る。
【００２２】
その絵柄ａを形成した基材１０の上に、糊層１２を介してアルミ蒸着フィルム１１をそのベースフィルム１１ａを絵柄ａ側にして貼着し、その蒸着層１１ｂの上に、さらに、オフセット印刷等によって絵柄ｃを印刷し（形成し）、その絵柄ｃの表面に樹脂をコーティングした。この樹脂コーティングした表面コート（層）１３は、耐傷性と光沢性等を付与する。支障がなければ、アルミ蒸着フィルム１１をその蒸着層１１ｂ側を絵柄ａ側にして貼着することもできる。この場合、ベースフィルム１１ａが表面コート１３の役目を果たす。
【００２３】
絵柄ｃは、通常の上記インキを使用することができるが、ルミニスト（インキ）を使用することができる。このルミニストは、透明性の高いインキ、又は塗料でありながら、基材１０（アルミ蒸着フィルム１１）に印刷、塗装、コーティングすることより、光の入射光側からは不透明性のパステルカラーに見え、反射光側からはその透明性ゆえにその基材１０の色に見えるものであり、いわゆる不透明性と透明性を同時に持ち合わせているため、従来のメタリックカラーには無い深みのある色彩を演出することができる。さらに反射光側から見る色は、色が変化して見え、質感のある独特の色彩感覚を表現できる。有機顔料と組み合わせることにより、プロセスカラーのように色の創作が無限に可能で、デザイン性の高い色彩である。
【００２４】
この実施形態においては、糊層１２の厚みは１０〜１５μ、アルミ蒸着フィルム１１のベースフィルム１１ａはポリエチレンテレフタレート（PET）フィルムであって、その厚み：１２μ、蒸着層１１ｂの厚み：４５０Å（オングストローム：０．０４５μ）、絵柄ａ、ｂ、ｃの印刷層の厚み：１〜３μ、表面コート層１３の厚み：３〜４μとした。
【００２５】
この実施形態の包装箱Ｐは、上記印刷ａ、ｂ、ｃ等を施したブランクを、まず、前板１に対し、側板２、後板３及び側板２をそれぞれ折り目線ｒを介して谷折りし、その前板１の糊片１ａを側板２の側縁裏面に貼着して四角枠状とする。このとき、後板３下縁の突片３ａが底板５に対して切り起こされる。
その後、底側のフラップ７、７を内側に折り曲げ、その上に底板５を被せてフラップ片９をフラップ７の側縁と前板１の裏面の間に差し入れて、有底の四角状箱本体とする。
その箱本体に商品を収納した後、蓋側のフラップ６、６を内側に折り曲げ、その上に蓋板４を被せてフラップ片８をフラップ６の側縁と前板１の裏面の間に差し入れて（図１矢印参照）、商品を収納した包装箱Ｐとする。この包装箱Ｐを図１に示すように縦置きした際、後板３下縁から突出した突片３ａによってスタンディング状態が安定する。
【００２６】
この包装箱Ｐは、箱表面（表面コート層１３の表面）に絵柄ｃ（図１、図２に実線表示）が記されてその表示内容を確認できる。
一方、アルミ蒸着フィルム１１の下側の絵柄ａ（図１、図２に破線表示）の厚みは、１〜３μ程度であって、糊層の厚み：１０〜１５μ、蒸着フィルムの厚み：１２μ程度であるから、印刷絵柄ａの上に貼着されたアルミ蒸着フィルム１１等は、他の部分に対して１〜３μ程度盛り上がり、その盛り上がりは、全体の層厚に対し、極めて低いものとなる（図３参照）。
このため、人が確認できる可視光線の波長は４００μｍ〜７００μｍであることから、その盛り上がりの凹凸に反射光を感じることは大変難しく、印刷面を斜めに見る等をしない限り、その凹凸絵柄ａを確認し得ない。また、触覚によっては感じ得ないものである。このため、包装箱表面の印刷絵柄ａによって盛り上がる部分は、透かし部分として有効となる。
【００２７】
このように、この実施形態においては、絵柄ａはアルミ蒸着フィルム１１によって隠蔽されて明確に確認することはできず、糊層１２、アルミ蒸着フィルム１１、絵柄ｃ、表面コート層１３が施されても、表面コート層１３には絵柄ａによる１〜３μの凹凸がかすかに確認できるだけである。
【００２８】
また、絵柄ｂを設けた部分（図２の鎖線で囲んだ部分）は、アルミ蒸着フィルム１１を剥がすことによってその絵柄ｂを確認できる。その絵柄ｂが当選番号等であれば、その当確等を確認できる。絵柄ｂはブラックライトで発光するインキでも、自然光によって目視できるインキでも良い。その場所を単純な色線で囲んだり、ハーフカットで囲んだりすることができる。このとき、剥がしたフィルム１１に基材１０の一部がくっついて絵柄ｂがその一部に転写する場合があり、その場合はその転写した絵柄ｂで確認する。
【００２９】
上記実施形態は、アルミ蒸着フィルム１１の貼着によって浮き上がり（透かし）を構成したが、図４〜図７に示す、金属箔２１によってもその浮き上がりを構成することができる。その金属箔２１の転写は、フィルムに上記アルミニウム青銅を蒸着したアルミ金箔（蒸着箔）２１の表面に糊層２２を設け、その糊層２２を絵柄ａ、ｃ側にしてホットスタンプしてそのアルミ金箔２１を転写する。すなわち、糊層２２が加熱によって活性化して、圧力が加わることによって金属箔２１が絵柄ａ、ｃ側に転写される。
金属箔２１は、その金属光沢がそのまま絵柄の表面に現れる（転写される）ので、インキではできないような金属光沢を得ることができる。金属箔２１には、その金属の単一色のみならず、種々のロゴやキャラクターなどをグラビア印刷やシルク印刷等を施した転写箔（マルチカラー箔）とすれば、１工程で色ずれのない高品質も多色印刷面とし得る。
【００３０】
図４、図５に示す実施形態は、上記実施形態の包装箱Ｐにおいて、図４の四角に囲まれた部分Ｂにおいて、図５に示すように、絵柄ｃの上に、金属箔２１を転写したものである。この転写は、ホットスタンプによって絵柄ｃを覆う部分的なものとしている。すなわち、この転写は部分的に行うことができるため、使用態様が広いものとなる。
この部分的な転写が可能なことは、様々な絵柄の個別の金属箔被覆が可能となって、かつ浮き出し効果を得ることができる。箔には溶剤がないため、乾燥工程も不要であり、環境にやさしい印刷方法といえる。ホットスタンプは熱の加わった所だけに印刷（転写）がなされるため、マスキングの必要がなく、塗装に比べて大幅なコストダウンが図れる。
上記金属箔２１の表面に表面コート１３を施すこともできる。
【００３１】
図６、図７に示す実施形態は、上記実施形態の包装箱Ｐにおいて、図６の四角に囲まれた部分Ｄにおいて、図７に示すように、マットインキによって一部に印刷した絵柄ａの上に、金属箔２１を転写したものである。その金属箔２１の上に、さらに、オフセット印刷等によって絵柄ｃを印刷し（形成し）得る。この実施形態においては、金属箔２１の表面に表面コート１３を施したが、その表面コート１３は省略し得る。
【００３２】
上記実施形態においては、絵柄ａ、ｃは、マットインキによって印刷したので、その印刷表面が粗面となっており、その粗面が金属箔２１の表面に現れている。このため、趣の変わった（高級感がでた）絵柄ａ、ｃの浮き上がり態様となる。
ホットスタンプの際、押圧熱盤に版を使用しなくても良いが、版を使用することによってその版の模様を金属箔２１の表面に形成することもできる。
【００３３】
なお、金属箔２１は、ホログラム箔とすることができ、さらに、多色のものともし得る。
また、図４、図６の実施形態においても、図２の絵柄ｂを設け、その部分にアルミ蒸着フィルム１１に代えて金属箔２１を転写したものとし得る。この場合、金属箔２１を剥がすことによってその絵柄ｂを確認できる。
【００３４】
この各実施形態においては、アルミ蒸着フィルム１１又は金属箔２１の表面に印刷ｃや表面コート（層）１３を形成し、絵柄ｃの損傷を無くした（耐傷性を高めた）が、それらは省略することができる。すなわち、包装箱Ｐはアルミ蒸着層１１ｂ又は金属箔２１の表面とし得る（図３、図７において、印刷絵柄ｃ、表面コート１３を省略したりすることができる）。
【００３５】
この発明に係る包装箱（基材１０）の材料は、ボール紙に限らず、プラスチック板、ダンボール紙等の種々のものを採用できる。
絵柄ａ、ｃは前板１に限らず、他の基材１０（側板２、後板３、蓋板４、底板５等）に設けることができることは言うまでもない。
また、この発明に係る透かし形成方法は、包装箱に限らず、カレンダー、本等の種々の物に採用し得る。
さらに、絵柄ａと絵柄ｃを基材１０の厚み方向（図３の左右方向）で重ねたり、逆に、重ならないようにしたりし得る。重なると、絵柄ａにより絵柄ｃ部分が盛り上がり、重ならないと、絵柄ａにより絵柄ｃ部分以外の部分が盛り上がることとなる。この実施形態は、両絵柄ａ、ｃが重ならないようにしている。
また、細かい線からなる絵柄ａであれば、確認し難いうえに、下記スキャン（scan＝走査）によって同じ印刷物を作成しにくい。
【００３６】
なお、スキャンによって写真やイラスト、文書等といった原稿をデジタル情報に変換させ、そのデジタル情報に基づき、同一の印刷物を複製する場合があるが、１〜３μの凹凸の絵柄ａは基材（紙材）１０の中に抄き込まれている状態とほぼ同一であるため、スキャンされ難く、全く同一の印刷物を作成（複製）することは極めて困難である。このため、偽造防止の役目も果たす。
一方、視覚によって絵柄ａ、ｃを確認できるので、転売された場合、その転売品の真偽などを確認できる。
【００３７】
因みに、上記実施形態における、絵柄ａ、ｃの印刷層厚、蒸着フィルム１１の厚み、金属箔２１の厚み、表面コート層１３の層厚等は一例であって、その値に特定されないことは言うまでもない。よって、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図されることは言うまでもない。
【符号の説明】
【００３８】
Ｐ  包装箱
ａ  透かし用絵柄
ｂ  隠し文字（絵柄）
ｃ  表面絵柄
１  包装箱の前板
１ａ  同糊片
２  同側板
３  同後板
４  同蓋板
５  同底板
６、７  同フラップ
８、９  同フラップ片
１０  基材
１１  アルミ蒸着フィルム
１１ａ  アルミ蒸着フィルムのベースフィルム
１１ｂ  同蒸着層
１２  糊層
１３  表面コート層
２１  金属箔
２２  金属箔の糊層
【図１】
2020082732.tif 000003
【図２】
2020082732.tif 000004
【図３】
2020082732.tif 000005
【図４】
2020082732.tif 000006
【図５】
2020082732.tif 000007
【図６】
2020082732.tif 000008
【図７】
2020082732.tif 000009